(57)【要約】【課題】施工性良く、コンペンチェーンが振動した場合の衝撃緩衝部へのコンペンチェーンの引っかかり等を防止することのできるエレベータ装置を提供する。【解決手段】昇降路６と、昇降路６を昇降する乗りかご１と、乗りかご１の一端に固定されるメインロープ７と、メインロープ７の他端に固定されるつり合い錘２と、乗りかご１の下部とつり合い錘２の下部とを接続するコンペンチェーン３と、昇降路６の底部に配置された衝撃緩衝部４及び１２と、を備えたエレベータ装置５であって、衝撃緩衝部１２を覆う保護部材８を備える。【選択図】図１
2014105040.tif 000002
【特許請求の範囲】
【請求項１】
昇降路と、
前記昇降路を昇降する乗りかごと、
前記乗りかごの一端に固定されるメインロープと、
前記メインロープの他端に固定されるつり合い錘と、
前記乗りかごの下部と前記つり合い錘の下部とを接続するコンペンチェーンと、
前記昇降路の底部に配置された衝撃緩衝部と、を備えたエレベータ装置であって、
前記衝撃緩衝部を覆う保護部材を備えた
エレベータ装置。
【請求項２】
前記保護部材は、平面部を有する平板状部材である
請求項１に記載のエレベータ装置。
【請求項３】
前記平板状部材は、断面がコの字状である
請求項２に記載のエレベータ装置。
【請求項４】
前記保護部材には、弾性部材が設けられている
請求項１に記載のエレベータ装置。
【請求項５】
前記平板状部材の平面部に、弾性部材が取り付けられている
請求項２に記載のエレベータ装置。
【請求項６】
前記保護部材は、第１の保護部材と、第２の保護部材と、前記第１の保護部材に前記第２の保護部材を取り付ける際の取り付け位置を調節する調節部とを備えた
請求項１に記載のエレベータ装置。
【請求項７】
前記衝撃緩衝部は、
前記昇降路の底部に配置されており、接続部を有する衝撃緩衝台と、
前記衝撃緩衝台の接続部に接続されて、前記衝撃緩衝台の上部に配置される衝撃緩衝器と、を備え、
前記保護部材は、前記接続部に接続されている
請求項１に記載のエレベータ装置。
【発明の詳細な説明】
【技術分野】
【０００１】
本発明は、コンペンチェーンが振動した場合の衝撃緩衝部へのコンペンチェーンの引っかかり等を防止するエレベータ装置に関する。
【背景技術】
【０００２】
エレベータ装置は、一般に、昇降路と、昇降路内を昇降する乗りかごと、乗りかごの一端に固定されるメインロープと、メインロープの他端に固定されるつり合い錘と、メインロープとは独立に設けられて乗りかごの下部とつり合い錘の下部とに接続されるチェーンであるコンペンチェーンと、昇降路の底部に配置される衝撃緩衝部とを備えている。
【０００３】
コンペンチェーンは、乗りかごの高さ位置によって生じるメインロープやその他長尺物の重量アンバランスを補正するためのものである。衝撃緩衝部は、乗りかごやつり合い錘が万一昇降路の底部にまで降下した場合の衝撃をやわらげるためのものである。
【０００４】
コンペンチェーンは、吊り下げられた状態での下端部が昇降路の底部付近に位置しているため、地震が発生してコンペンチェーンが振動した場合、コンペンチェーンが衝撃緩衝部に引っかかったり、コンペンチェーンが衝撃緩衝部にぶつかって衝撃緩衝部が損傷する可能性がある。
【０００５】
従来、こうした衝撃緩衝部へのコンペンチェーンの引っかかり等を防止する技術としては、衝撃緩衝部の先端と、乗りかごやつり合い錘の昇降をガイドするレールとの間にワイヤを張ることにより、コンペンチェーンが衝撃緩衝部側に振動した場合にこのワイヤによって跳ね返すという技術が開示されている（例えば特許文献１参照。）。
【先行技術文献】
【特許文献】
【０００６】
【特許文献１】特開２００９−６２１８０号公報
【発明の概要】
【発明が解決しようとする課題】
【０００７】
しかし、上記特許文献１に記載された技術は、ワイヤを衝撃緩衝部側とレール側との２箇所に結び付けなければならないため、施工性が悪くなってしまう。
【０００８】
本発明は、上述の点に鑑み、施工性が良く、コンペンチェーンが振動した場合の衝撃緩衝部へのコンペンチェーンの引っかかり等を防止できるエレベータ装置を提供することを目的とする。
【課題を解決するための手段】
【０００９】
上記課題を解決し、本発明の目的を達成するため、本発明のエレベータ装置は、昇降路と、昇降路を昇降する乗りかごと、乗りかごの一端に固定されるメインロープと、メインロープの他端に固定されるつり合い錘と、乗りかごの下部とつり合い錘の下部とを接続するコンペンチェーンと、昇降路の底部に配置された衝撃緩衝部と、を備えたエレベータ装置であって、衝撃緩衝部を覆う保護部材を備えたことを特徴とする。
【発明の効果】
【００１０】
上記構成のエレベータ装置によれば、衝撃緩衝部を保護部材で覆うだけで、コンペンチェーンが衝撃緩衝部側に振動した場合にこの保護部材によって跳ね返すことができる。これにより、施工性良く、コンペンチェーンが振動した場合の衝撃緩衝部へのコンペンチェーンの引っかかり等を防止することができる。
【図面の簡単な説明】
【００１１】
【図１】本発明の実施の形態に係るエレベータ装置の要部の構成を示す図である。
【図２】本発明の実施の形態に係るエレベータ装置の衝撃緩衝器，衝撃緩衝器台及び衝撃緩衝器台カバーの構成を示す図である。
【図３】本発明の実施の形態に係るエレベータ装置の衝撃緩衝器台カバーの部品詳細分解斜視図である。
【図４】本発明の変形例に係るエレベータ装置の衝撃緩衝器台カバーの構成を示す図である。
【図５】本発明の変形例に係るエレベータ装置の衝撃緩衝器台カバーの構成を示す図である。
【図６】本発明の変形例に係るエレベータ装置の衝撃緩衝器台カバーの構成を示す図である。
【発明を実施するための形態】
【００１２】
以下、本発明の実施の形態について図面を参照して説明する。
図１は、本発明の実施形態に係るエレベータ装置の要部の構成を示す。エレベータ装置５は、昇降路６と、昇降路６内を昇降する乗りかご１と、乗りかご１の一端に固定されるメインロープ７と、メインロープ７の他端に固定されるつり合い錘２と、メインロープ７とは独立に設けられており、乗りかご１の下部とつり合い錘２の下部とに接続されるコンペンチェーン３と、昇降路６の底部に配置される衝撃緩衝部としての衝撃緩衝器４及び衝撃緩衝器台１２と、を備えている。
【００１３】
コンペンチェーン３は、乗りかご１の高さ位置によって生じるメインロープ７やその他長尺物の重量アンバランスを補正するためのものである。衝撃緩衝器４及び衝撃緩衝器台１２は、乗りかご１やつり合い錘２が万一昇降路６の底部にまで降下した場合の衝撃をやわらげるためのものである。衝撃緩衝器台１２は昇降路６の底部に固定して配置されており、衝撃緩衝器４は衝撃緩衝器台１２の上部に配置されている。
【００１４】
衝撃緩衝器台１２は、保護部材としての衝撃緩衝器台カバー８によって覆われている。なお、図１ではつり合い錘２側の衝撃緩衝器台１２のみが衝撃緩衝器台カバー８で覆われているが、乗りかご１側の衝撃緩衝器台１２も衝撃緩衝器台カバー８で覆うようにしてよい。
【００１５】
図２は、図１の衝撃緩衝器４，衝撃緩衝器台１２及び衝撃緩衝器台カバー８の部分の構成を示しており、図２Ａは平面図、図２Ｂは図１の左側からみた側面図である。また、図３は、衝撃緩衝器台カバー８の部品詳細分解斜視図である。衝撃緩衝器台カバー８は、第１の保護部材としての、断面がコの字状に曲がった平板状部材である鋼鉄製のカバー上９と、第２の保護部材としての、断面がコの字状に曲がっておりカバー上９の内径寸法とほぼ等しい外径寸法の平板状部材である鋼鉄製のカバー下１０とを備えている。カバー上９及びカバー下１０は、平面部（２つの曲がった箇所の間の面）がコンペンチェーン３の側に面するようにして衝撃緩衝器台１２を覆っている。
【００１６】
カバー上９の平面部にはネジ穴１９が開けられており、ビス１７をネジ穴１９に螺合することによって平板状の弾性部材１１がこの平面部に取り付けられている。カバー下１０の平面部にもネジ穴１９が開けられており、ビス１７をネジ穴１９に螺合することによって平板状の弾性部材１１がこの平面部に取り付けられている。
【００１７】
カバー上９，カバー下１０の側面部（曲がった箇所よりも端寄りの面）には、それぞれ縦長の長円穴１８が開けられている。カバー上９の下側からカバー下１０を嵌合し、双方の長円穴１８を通してボルト１５及びナットワッシャー１６で締め付けを行うことにより、カバー上９の下側にカバー下１０が固定して取り付けられている。長円穴１８は、カバー上９にカバー下１０を取り付ける際に、上下方向上の取り付け位置を長円穴１８の長さの範囲内で調節する調節部としての役割を果たす。この長円穴１８で取り付け位置を調節することにより、カバー上９及びカバー下１０の全体の高さを、衝撃緩衝器台１２の高さに合わせて調節することができる。
【００１８】
カバー上９の上部には、ネジ穴を開けられたＬ字状の鋼鉄製の固定ブラケット１４が溶接によって取り付けられている。他方、衝撃緩衝器台１２の上部は、衝撃緩衝器４を接続するための、ネジ穴を開けられた平板状の鋼鉄製の接続部１２ａが溶接によって取り付けられている。衝撃緩衝器４の下部にも、同様な接続部４ａが溶接によって取り付けられている。衝撃緩衝器４は、この接続部４ａ及び接続部１２ａのネジ穴を通してボルト１５及びナットワッシャー１６で締め付けを行うことにより、接続部１２ａに接続されて衝撃緩衝器台１２の上部に固定して配置される。その際に、ボルト１５及びナットワッシャー１６をカバー上９の固定ブラケット１４のネジ穴にも通すことにより、衝撃緩衝装置台カバー８も、衝撃緩衝器４と共締めで接続部１２ａに接続されて衝撃緩衝器台１２に固定されている。なお、接続部４ａ及び接続部１２ａは、衝撃緩衝器４及び衝撃緩衝器台１２に一体成型で設けてもよい。
【００１９】
この実施の形態に係るエレベータ装置によれば、地震が発生してコンペンチェーン３が衝撃緩衝器台１２の側に振動した場合、衝撃緩衝装置台カバー８で跳ね返すことにより、コンペンチェーン３が衝撃緩衝器台１２と衝撃緩衝器４とを固定している部分（接続部１２ａや接続部４ａ）に引っかかったり、コンペンチェーン３が衝撃緩衝器台１２にぶつかって衝撃緩衝器台１２が損傷することを防止できる。
【００２０】
また、衝撃緩衝装置台カバー８のうちコンペンチェーン３に面する部分（カバー上９及びカバー下１０の平面部）には弾性部材１１が取り付けられているので、コンペンチェーン３が衝撃緩衝装置台カバー８にぶつかった際にコンペンチェーン３が損傷することも防止できる。
【００２１】
また、衝撃緩衝装置台カバー８は衝撃緩衝器４と共締めで衝撃緩衝器台１２に固定されるので、施工が容易である。
【００２２】
〔変形例〕
以上、本発明の実施の形態について説明した。しかし、本発明は、上述の実施の形態に限定されるものではなく、特許請求の範囲に記載した発明の要旨を逸脱しない範囲内で種々の変形実施が可能である。
【００２３】
例えば、上述の実施の形態では、衝撃緩衝装置台カバー８のカバー上９，カバー下１０の平面部にそれぞれ平板状の弾性部材１１を取り付ける例を説明したが、図４に示すように、カバー上９のほうにはコンペンチェーン３の側に向けて湾曲した弾性部材２０を取り付けてもよい。また、コンペンチェーン３の下端部の高さ位置の関係で、カバー上９にはコンペンチェーン３がぶつかる可能性が少ない場合には、図５に示すように、カバー下１０の平面部にのみ弾性部材１１を取り付けてもよい。また、コンペンチェーン３がカバー上９やカバー下１０の側面部にも回りこんでぶつかる可能性がある場合には、カバー上９やカバー下１０の側面部にも弾性部材を取り付けてよい。
【００２４】
また、上述の実施の形態では、衝撃緩衝器台１２を衝撃緩衝器台カバー８のカバー上９及びカバー下１０で覆う例を説明したが、コンペンチェーン３の下端部の高さ位置の関係でコンペンチェーン３が衝撃緩衝器４のほうにぶつかる可能性がある場合には、図６に示すように、カバー上９及びカバー下１０を図２とは上下逆にして衝撃緩衝器４と共締めで衝撃緩衝器台１２の接続部１２ａに接続することにより、衝撃緩衝器４のほうを衝撃緩衝器台カバー８のカバー上９及びカバー下１０で覆ってもよい。
【００２５】
また、上述の実施の形態では、衝撃緩衝器台カバー８のカバー上９及びカバー下１０として断面がコの字状の平板状部材を用いる例を説明したが、断面がコの字状でない平板状部材をカバー上９及びカバー下１０として用いてもよく、また平板状以外の形状の部材をカバー上９及びカバー下１０として用いてもよい。
【００２６】
また、上述の実施の形態では、衝撃緩衝器台カバー８がカバー上９及びカバー下１０を備える例を説明したが、衝撃緩衝器台カバー８を単一のカバーとして構成してもよい。
【００２７】
また、上述の実施の形態では、衝撃緩衝部として衝撃緩衝器４及び衝撃緩衝器台１２を備える例を説明したが、衝撃緩衝部が衝撃緩衝台と衝撃緩衝器に分かれていないエレベータ装置に適用して、その衝撃緩衝部を保護部材で覆ってもよい。その場合でも、衝撃緩衝部を保護部材で覆うだけで、コンペンチェーンが衝撃緩衝部側に振動した場合にこの保護部材によって跳ね返すことができるので、やはり施工性良く、コンペンチェーンが振動した場合の衝撃緩衝部へのコンペンチェーンの引っかかり等を防止することができる。
【符号の説明】
【００２８】
１…乗りかご、  ２…つり合い錘、  ３…コンペンチェーン、  ４…衝撃緩衝器、  ５…エレベータ装置、  ６…昇降路、  ７…メインロープ、  ８…衝撃緩衝装置台カバー、  ９…カバー上、  １０…カバー下、  １１…弾性部材、  １２…衝撃緩衝器台、  １４…固定ブラケット、  １５…ボルト、  １６…ナットワッシャー、  １７…ビス、  １８…長円穴、  １９…ネジ穴
【図１】
2014105040.tif 000003
【図２】
2014105040.tif 000004
【図３】
2014105040.tif 000005
【図４】
2014105040.tif 000006
【図５】
2014105040.tif 000007
【図６】
2014105040.tif 000008